(57)【特許請求の範囲】
【請求項１】
インク滴が噴射されるノズルを複数配列させた記録部を有する記録ヘッドと、
用紙が走行する用紙走行部に開口された用紙吸引用の開口部を有するプラテン部材と、
前記記録部に対向する位置であって前記用紙吸引用の開口部の内部に配設された用紙搬送用のロールと、
前記開口部を介して空気を吸引する吸引手段と、を備え、
前記用紙吸引用の開口部から周囲の空気を吸引する吸引手段を、用紙に画像を記録する画像記録動作のタイミングに合わせて制御することを特徴とする用紙搬送装置。
【発明の詳細な説明】
【０００１】
【発明の属する技術分野】
この発明は、インクジェット記録装置等の画像記録装置に使用される用紙搬送装置に関し、特に、給紙部から送られたきた用紙を記録部へ搬送し、記録部で画像が記録された用紙を排出部へと搬送する用紙搬送装置に関するものである。
【０００２】
【従来の技術】
現在、画像記録装置としては、電子写真方式、静電記録方式、インクジェット方式など様々な方式のものがあり、商品化も多くなされてきている。その中でもインクジェット方式の画像記録装置は、記録ヘッドからブラック単色あるいは、ブラックに加えてシアン、マゼンタ、イエロー等の複数色のインク滴を噴射し、記録用紙に直接画像を記録するものであるため、装置の小型化、低コスト化、カラー化が容易であり、主にパーソナルコンピュータ等のパーソナルな画像記録装置として急激に普及してきている。
【０００３】
かかるインクジェット方式の画像記録装置は、記録ヘッドのノズルから微少なインク滴を噴射し、記録用紙に非接触状態で直接画像を記録するため、記録ヘッドと用紙との距離は、１ｍｍ前後と小さく設定される。そのため、画像の記録動作に伴って搬送される記録用紙に撓み等が発生すると、記録用紙が記録ヘッドと接触してしまい、記録用紙の表面が汚れてしまうというトラブルが発生する虞れを有している。
【０００４】
そこで、この問題点を解決し得る技術としては、例えば、特開平８−１９２５４４号公報や特開平９−５８８９７号公報等に開示されているように、記録用紙を裏面側から吸引することにより、当該記録用紙をプラテン側に引き付けるように構成したものが既に提案されている。
【０００５】
上記特開平８−１９２５４４号公報に開示されたシリアルインクジェットプリンタの紙送り構造は、図９に示すように、記録ヘッド１００に対向するように平坦なプラテン板１０１を配置し、この平坦なプラテン板１０１に複数の孔１０２を穿設して、当該プラテン板１０１の下部に配置されたダクト１０３を介してファン１０４によって吸引し、プラテン板１０１の前後に配置されたローラ対１０５、１０６によって記録用紙１０７を搬送しつつ、プラテン板１０１に複数穿設された孔１０２によって記録用紙１０７を吸着するように構成したものである。
【０００６】
また、上記特開平８−１９２５４４号公報に開示された他の紙送り構造は、図１０に示すように、搬送用ロール１１０の表面に周方向及び軸方向に沿って複数の孔１１１ａ〜１１１ｋを設け、この搬送用ロール１１０の表面に設けられた複数の孔１１１ａ〜１１１ｋから、図１１に示すように、当該搬送用ロール１１０の回転軸１１２内に開口された吸引口１１３を介して、図示しない吸引ファンにより空気を吸引しながら、図１２に示すように、搬送用ロール１１０に複数設けられた孔１１１ａ〜１１１ｋによって記録用紙１１４を吸着しつつ、記録ヘッド１１５によって記録用紙１１４に画像を記録するように構成したものである。なお、図１２中、１１６〜１１８は搬送用ロール１１０の外周に接触するように配設された搬送ロールをそれぞれ示している。
【０００７】
さらに、上記特開平９−５８８９７号公報に係る吸着搬送装置は、図１３に示すように、複数本の幅広の搬送用平ベルト１２０に複数の孔１２１を設けて、当該搬送用平ベルト１２０の内部からダクト１２２を介してファン１２３によって吸引することにより、複数本の搬送用平ベルト１２０によって搬送される図示しない記録用紙を吸着しつつ搬送するように構成したものである。
【０００８】
【発明が解決しようとする課題】
しかし、上記従来技術の場合には、次のような問題点を有している。すなわち、上記特開平８−１９２５４４号公報に開示されたシリアルインクジェットプリンタの紙送り構造の場合には、図９に示すように、プラテン板１０１に複数の孔１０２を設け、この複数の孔１０２から空気を吸引して記録用紙１０７をプラテン板１０１上に吸着しながら搬送するように構成したものであるため、記録用紙１０７の幅が広くなると吸着力が不十分となり、プラテン板１０１から記録用紙１０７が浮きやすい状態となって、記録用紙１０７に濃淡のムラや汚れが発生する虞れがあるという問題点を有している。また、幅の広い記録用紙１０７を安定して搬送可能とするためには、ファン１０４の吸引力を強く設定する必要があるが、このようにファン１０４の吸引力を強くすると、搬送される記録用紙１０７の状態は安定するが、逆に記録用紙１０７の搬送抵抗が増大するという問題点が生じる。このように、記録用紙１０７の搬送抵抗が増大すると、記録用紙１０７の送り精度に悪影響を与え、印字画像に白筋や黒筋等が発生し、画質を劣化させてしまうという問題点があった。
【０００９】
また、上記特開平８−１９２５４４号公報に開示されたシリアルインクジェットプリンタの紙送り構造の場合には、図９に示すように、記録ヘッド１００のノズルの数を多く設定してプリントスピードを上げると、記録ヘッド１００のサイズが大きくなり、プラテン板１０１の上流側と下流側に配設される搬送ロール対１０５と１０６の間隔も広がる。そのため、記録用紙１０７を押さえるロール対１０５、１０６の間隔が広がると、記録用紙１０７がインクにより膨潤して波打ち状の変形を起こし易くなり、プラテン板１０１からの浮きが増長されることになる。
【００１０】
さらに、上記特開平８−１９２５４４号公報に開示された他の紙送り構造のごとく、図１０乃至図１２に示すように、搬送用ロール１１０の表面に複数の吸引用孔１１１ａ〜１１１ｋを設ける方法では、搬送用ロール１１０自身の構造が複雑となり、高価となる。特に、この特開平８−１９２５４４号公報に開示された他の紙送り構造の場合には、図１１に示すように、搬送用ロール１１０の回転軸１１３から吸引を行なう必要があるため、構造が複雑となり、大幅なコスト高を招くという問題点があった。
【００１１】
また更に、上記特開平９−５８８９７号公報に係る吸着搬送装置は、図１３に示すように、搬送用平ベルト１２０に複数の孔１２１を設けように構成したものであるため、やはり装置の構造が複雑になり、しかも弾性体であり変形し易い搬送用平ベルト１２０によって記録用紙の送り精度を満足させるには、搬送用平ベルト１２０の製造や駆動機構等に非常に高い精度が要求され、コストの高いものとなってしまうという問題点を有していた。
【００１２】
そこで、この発明は、上記従来技術の問題点を解決するためになされたものであり、その目的とするところは、用紙の搬送精度を高く維持することができ、記録画像の画質を劣化させることがなく、しかも簡単な構成であって低コスト化が可能な用紙搬送装置を提供することにある。
【００１３】
【課題を解決するための手段】
請求項１に記載された発明は、インク滴が噴射されるノズルを複数配列させた記録部を有する記録ヘッドと、用紙が走行する用紙走行部に開口された用紙吸引用の開口部を有するプラテン部材と、前記記録部に対向する位置であって前記用紙吸引用の開口部の内部に配設された用紙搬送用のロールと、前記開口部を介して空気を吸引する吸引手段と、を備え、前記用紙吸引用の開口部から周囲の空気を吸引する吸引手段を、用紙に画像を記録する画像記録動作のタイミングに合わせて制御するように構成したものである。
【００１７】
【作用】
この発明は、上記の如く用紙が走行する用紙走行部に開口された用紙吸引用の開口部と、前記用紙吸引用の開口部の内部に配設された用紙搬送用のロールとを備えるように構成したので、用紙吸引用開口部からの吸引力が増大すると、その吸引力ｆは、用紙吸引用開口部内に配設された用紙搬送用ロールの方向にかかることになり、その力が大きくなるほど開口部内の用紙搬送用ロールの搬送力が増し、吸引による搬送抵抗を打ち消す力となって用紙の送り精度に悪影響を与えることがない。しかも、用紙が走行する用紙走行部に開口された用紙吸引用の開口部と、前記用紙吸引用の開口部の内部に配設された用紙搬送用のロールとを備えるように構成したので、構成が簡単であり、低コスト化が可能である。
【００１８】
【発明の実施の形態】
以下に、この発明の実施の形態について図面を参照して説明する。
【００１９】
図１はこの発明の一実施の形態に係る用紙搬送装置を適用したインクジェット記録装置を示すものである。
【００２０】
図１において、１は記録ヘッドを示すものであり、この記録ヘッド１は、その下端部に幅方向に沿って記録密度に応じて複数個配置されたノズルを備えている。また、上記記録ヘッド１は、カラーの画像を記録するものである場合、その下端部に幅方向に沿って記録密度に応じて複数個配置されたノズル列を、図面に垂直な方向に沿って例えばブラック、シアン、マゼンタ、イエローというように複数列備えるように構成される。そして、上記記録ヘッド１は、図示しない駆動機構によって図面に垂直な方向に移動しつつ、当該記録ヘッド１に設けられた複数のノズルからインク滴を下方に噴射することによって、用紙搬送装置２により搬送される記録用紙３上に画像を記録するようになっている。
【００２１】
上記用紙搬送装置２では、図１の右側に示すように、図示しない給紙カセットから記録用紙３が１枚ずつ送り出され、この記録用紙３は、記録ヘッド１の下方位置である記録部４の上流側に位置し、当該記録用紙３の主要な搬送を行なう第一搬送ロール５へと送られる。この第一搬送ロール５は、記録用紙３の搬送精度を支配する重要な部品である。そのため、上記第一搬送ロール５は、記録用紙３との間にスリップを起こさないように表面の摩擦係数が高く、かつ搬送精度を決める加工精度も高く、しかも温度変化の影響を受け難い等の条件が考慮され、駆動方法もロールの回転角速度の変動が少ない方法が選択されている。この第一搬送ロール５は、例えば、ステンレスやアルミニウム等の金属材料によって形成され、その表面は、微細な金属粉が溶着等の手段によって固着され、所定の表面粗さを有するように構成される。なお、上記第一搬送ロール５の表面には、記録用紙３を上方から押圧するピンチロール６が接触するように配置されている。このピンチロール６は、支持用ロッド７の先端に回転自在に支持されており、記録用紙３の浮き上がりを防止するため、第一搬送ロール５の上端部より僅か記録部４側に接触するように配置されている。
【００２２】
このように、搬送精度が高く設定された第一搬送ロール５によって、記録用紙３は、図１及び図２に示すように、記録部４の記録開始位置へと搬送される。この記録開始位置では、記録ヘッド１が記録用紙３の上方を１〜１．５ｍｍの間隔Ｇをおいて走査するように設定されている。上記記録用紙３の下側には、記録ヘッド１の上流側の端部から記録部４の下流にまで渡って、記録部４における記録用紙３を裏面側から平坦に支持するプラテン部材８が配置されている。
【００２３】
また、上記記録部４の下流側には、第二搬送ロール９が設けられており、画像が記録された記録用紙３を排紙部側へ搬送するようになっている。この排紙部には、画像が記録された記録用紙３を排出する排紙ロール１０が設けられており、記録用紙３を排紙トレイ１１上に送り出すように構成されている。なお、上記第二搬送ロール９の表面には、記録用紙３を上方から押圧するロールとして拍車１２が接触するように配置されている。この記録用紙３を上方から押圧するロールとして拍車１２を用いているのは、画像記録直後のインクが十分乾燥していない記録用紙３の表面に、ロールの全面が接触して画像を乱すのを防止するためである。この拍車１２も記録用紙３の浮き上がりを防止するため、第二搬送ロール９の上端部より僅か記録部４側に接触するように配置されている。また、上記排紙ロール１０の表面にも、従動ロール１３が接触するように配置されている。
【００２４】
ところで、この実施の形態に係る用紙搬送装置は、用紙が走行する用紙走行部に開口された用紙吸引用の開口部と、前記用紙吸引用の開口部の内部に配設された用紙搬送用のロールとを備えるように構成されてるいる。
【００２５】
すなわち、この実施の形態に係る用紙搬送装置２は、図１及び図２に示すように、第一搬送ロール５と第二搬送ロール９の間に、記録用紙３が走行する用紙走行部を形成するプラテン部材８を配設して、このプラテン部材８の上面に、図３に示すように、用紙吸引用の開口部１４を設け、当該用紙吸引用の開口部１４の内部に吸引部搬送用ロールを配置するように構成されている。なお、上記用紙搬送装置２は、その幅方向の一端部（図３中、右側の端部）を基準にして、記録用紙３を搬送するように構成されている。
【００２６】
上記プラテン部材８は、図２及び図３に示すように、合成樹脂等によって、最大サイズの記録用紙３の搬送方向と直交する方向の幅、例えば、Ａ３サイズの記録用紙３の幅よりも若干長く形成された平面略長方形の箱体状に形成されている。このプラテン部材８の上端部分には、図３に示すように、その幅方向の略中央部に複数の用紙吸引用の開口部１４Ａ、１４Ｂ、１４Ｃ、１４Ｄ、１４Ｅ、１４Ｆが長方形状に設けられている。これら複数の用紙吸引用開口部１４Ａ、１４Ｂ、１４Ｃ、１４Ｄ、１４Ｅ、１４Ｆは、図３に示すように、用紙搬送方向の基準となる端部側の３つの開口部１４Ａ、１４Ｂ、１４Ｃが長く設定されているとともに、他の３つの開口部１４Ｄ、１４Ｅ、１４Ｆは、順次長さが短くなるように設定されている。
【００２７】
上記プラテン部材８は、図３に示すように、複数の用紙吸引用開口部１４Ａ、１４Ｂ、１４Ｃ、１４Ｄ、１４Ｅ、１４Ｆの周縁部１５、及びこれら複数の用紙吸引用開口部１４Ａ、１４Ｂ、１４Ｃ、１４Ｄ、１４Ｅ、１４Ｆの間の部分１６ａ、１６ｂ、１６ｃ、１６ｄ、１６ｅが、記録用紙３の裏面側と接触する同一の平面部を形成している。
【００２８】
また、上記プラテン部材８の用紙搬送方向に沿った上流側には、図２及び図３に示すように、第一搬送ロール５によって搬送される記録用紙３の裏面を支持する支持用の平板部１７が設けられている。この平板部１７の上面には、記録用紙３との接触抵抗を低減させるため、所定の間隔をおいて配置された複数本の長いリブ１８と、これら複数本の長いリブ１８の間に一定の間隔で配置された複数本の短いリブ１９とが突設されている。上記平板部１７の上面に突設された複数本の長いリブ１８と短いリブ１９は、図２に示すように、その第一搬送ロール５側の端部１８ａ、１９ａが下方へ向けて傾斜するように形成されており、当該複数本の長いリブ１８と短いリブ１９は、その全長に渡って記録用紙３の裏面と接触するのではなく、当該第一搬送ロール５側の端部１８ａ、１９ａを除いた他の部分１８ｂ、１９ｂのみが記録用紙３の裏面と接触するように構成されている。その結果、上記複数本の長いリブ１８と短いリブ１９は、第一搬送ロール５側の端部１８ａ、１９ａを除いた他の部分１８ｂ、１９ｂが、複数の用紙吸引用開口部１４Ａ、１４Ｂ、１４Ｃ、１４Ｄ、１４Ｅ、１４Ｆの周囲１５、及びこれら複数の用紙吸引用開口部１４Ａ、１４Ｂ、１４Ｃ、１４Ｄ、１４Ｅ、１４Ｆの間の部分１６ａ、１６ｂ、１６ｃ、１６ｄ、１６ｅと、同一平面を形成するようになっている。
【００２９】
さらに、上記プラテン部材８の用紙搬送方向に沿った下流側には、図２及び図３に示すように、搬送される記録用紙３の裏面を支持する支持用の平板部２０が設けられている。この平板部２０の上面には、記録用紙３との接触抵抗を低減させるため、所定の間隔をおいて配置された複数本のリブ２１が突設されている。上記平板部２０の上面に突設された複数本のリブ２１は、図３に示すように、その略全長に渡って記録用紙３の裏面と接触するように構成されている。
【００３０】
又、上記プラテン部材８には、その複数の用紙吸引用開口部１４Ａ、１４Ｂ、１４Ｃ、１４Ｄ、１４Ｅ、１４Ｆの内部に、図２及び図４に示すように、複数本の吸引部搬送用ロール２２Ａ、２２Ｂ、２２Ｃ、２２Ｄ、２２Ｅ、２２Ｆが、第一搬送用ロール５と同一の駆動手段によって第一搬送ロール５と等しい速度で回転駆動されるように配置されている。上記複数の用紙吸引用開口部１４Ａ、１４Ｂ、１４Ｃ、１４Ｄ、１４Ｅ、１４Ｆとしては、例えば、金属性の芯金の表面にゴム層を被覆したものが用いられる。これらの複数本の吸引部搬送用ロール２２Ａ、２２Ｂ、２２Ｃ、２２Ｄ、２２Ｅ、２２Ｆは、図２に示すように、その上端部がプラテン部材８の上端面と一致するように配置されている。なお、吸引開口部縁であるプラテン部材８の上端面１５と吸引部搬送ロール２２の頂点の高さ関係は、必ずしも一致させる必要はなく、記録用紙３の吸着性及び搬送性を考慮すると、吸引部搬送ロール２２の頂点を基準に吸引開口部縁１５の高さは、＋０．５〜−１ｍｍの範囲内で設定するのが望ましい。
【００３１】
また、第一搬送ロール５と第二搬送ロール９のそれぞれのロール頂点高さと吸引部搬送ロール２２の頂点の高さ関係は、第一搬送ロール５と第二搬送ロール９のそれぞれのロール頂点高さを結んだ線に対して、吸引部搬送ロール２２の頂点の高さが、±０．５ｍｍの範囲内となるように設定するのが望ましい。
【００３２】
さらに、上記第一搬送ロール５と吸引搬送ロール２２の周速の関係は、
第一搬送ロール５の周速≒吸引部搬送ロール２２の周速
となるように設定するのが望ましい。
【００３３】
又、上記プラテン部材８には、複数の用紙吸引用開口部１４Ａ、１４Ｂ、１４Ｃ、１４Ｄ、１４Ｅ、１４Ｆの下部に、これら複数の用紙吸引用開口部１４Ａ、１４Ｂ、１４Ｃ、１４Ｄ、１４Ｅ、１４Ｆと略同一の幅で、その全長に渡って平面長方形状に形成された筒部２３が下方に向けて設けられており、この筒部２３内に複数本の吸引部搬送用ロール２２Ａ、２２Ｂ、２２Ｃ、２２Ｄ、２２Ｅ、２２Ｆが収容されている。
【００３４】
上記筒部２３の上部と複数本の吸引部搬送用ロール２２との間には、図２に示すように、略一定の間隙が形成されている。また、上記筒部２３の上端部に連続した複数の用紙吸引用開口部１４Ａ、１４Ｂ、１４Ｃ、１４Ｄ、１４Ｅ、１４Ｆの周縁部１５のうち、上流側の周縁部１５ａは、吸引部搬送用ロール２２の外周面に沿って傾斜するように形成されている。一方、上記筒部２３の下流側の上端部２３ｂは、複数の用紙吸引用開口部１４Ａ、１４Ｂ、１４Ｃ、１４Ｄ、１４Ｅ、１４Ｆの周縁部１５のうち、下流側の周縁部１５ｂから吸引部搬送用ロール２２側へ向けて傾斜した傾斜部２３ｂ’と、この傾斜部２３ｂ’の下方に連続して吸引部搬送用ロール２２と一定の間隙を形成するように形成された円弧部２３ｂ”とから構成されている。
【００３５】
また、上記プラテン部材８の複数の用紙吸引用開口部１４Ａ、１４Ｂ、１４Ｃ、１４Ｄ、１４Ｅ、１４Ｆと略同一の幅で、その全長に渡って平面長方形状に形成された筒部２３には、図１及び図２に示すように、下端部が正方形又は円形状に絞られたロート状のダクト２４が接続されている。このダクト２４の下端部には、負圧発生手段としての吸引用ファン２５が接続されており、この吸引用ファン２５によって、複数の用紙吸引用開口部１４Ａ、１４Ｂ、１４Ｃ、１４Ｄ、１４Ｅ、１４Ｆと、複数本の吸引部搬送用ロール２２Ａ、２２Ｂ、２２Ｃ、２２Ｄ、２２Ｅ、２２Ｆとの間隙から、空気を例えば１０ｍｍＨ2 Ｏの圧力で吸引するようになっている。
【００３６】
以上の構成において、この実施の形態に係る用紙搬送装置では、次のようにして、簡単な構成であって低コスト化が可能であり、しかも、用紙の搬送精度を高く維持することが可能となっている。
【００３７】
すなわち、この実施の形態に係る用紙搬送装置を適用したインクジェット記録装置では、図１に示すように、図示しない給紙カセットから記録用紙３が１枚ずつ送り出され、この記録用紙３は、記録部４の上流側に位置する第一搬送ロール５によって、記録ヘッド１の下方に位置する記録部４へ搬送される。その際、上記記録用紙３は、その先端部が記録開始位置に到達した状態で搬送が停止される。
【００３８】
次に、上記インクジェット記録装置では、ホームポジションに移動していた記録ヘッド１が図示しない駆動手段によって、記録用紙３の端部に位置する記録開始位置へと移動され、当該記録ヘッド１によって記録用紙３上に所定の記録幅に渡って画像が記録される。その後、上記記録用紙３は、第一搬送ロール５、複数本の吸引部搬送用ロール２２Ａ、２２Ｂ、２２Ｃ、２２Ｄ、２２Ｅ、２２Ｆ、及び第二搬送ロール９によって、所定の幅に渡って順次搬送され、画像が記録される。そして、全面に画像が記録された記録用紙３は、第二搬送ロール９及び排紙ロール１０によって、排紙トレイ１１上へと排紙され、画像の記録動作を終了する。
【００３９】
上記インクジェット記録装置に適用された用紙搬送装置２では、第一搬送ロール５と第二搬送ロール９の間隔が狭い場合には、記録部４での記録用紙３の浮き量が少なく、記録ヘッド１と記録用紙３との接触は殆ど発生しない。
【００４０】
ところで、上記インクジェット記録装置においてプリントスピードを上げるために、記録ヘッド１のノズル数を多く設定し、当該記録ヘッド１が１回走査する際に記録する記録幅を広くすると、その分だけ記録ヘッド１のサイズが大きくなり、それと共に第一搬送ロール５と第二搬送ロール９の間隔も広く設定する必要がある。このような状態で、記録ヘッド１からインク滴を吐出することにより、記録用紙３に画像を記録すると、記録用紙３は、インクによって膨潤し、波打ち状の変形を起こすことは周知であり、記録用紙３を押さえる第一搬送ロール５と第二搬送ロール９の間隔が広がることで、図５（ａ）に示すように、そのままの状態ではプラテン部材８からの記録用紙３の浮き上がりが増長される。
【００４１】
ここで、上記記録ヘッド１と記録用紙３との距離は、１〜１．５ｍｍと短いため、そのままの状態では、記録用紙３が記録ヘッド１に接触して記録面の汚れや用紙のジャムといったトラブルが発生し易くなる。
【００４２】
そこで、この実施の形態に係る用紙搬送装置２では、用紙が走行する用紙走行部に開口された用紙吸引用の開口部と、前記用紙吸引用の開口部の内部に配設された用紙搬送用のロールとを備えるように構成されているので、図２に示すように、複数の用紙吸引用開口部１４Ａ、１４Ｂ、１４Ｃ、１４Ｄ、１４Ｅ、１４Ｆの位置に、記録用紙３の先端部が到達した状態で、当該複数の用紙吸引用開口部１４Ａ、１４Ｂ、１４Ｃ、１４Ｄ、１４Ｅ、１４Ｆにダクト２４を介して接続された吸引用のファン２５を駆動する。すると、上記複数の用紙吸引用開口部１４Ａ、１４Ｂ、１４Ｃ、１４Ｄ、１４Ｅ、１４Ｆの内部に配置された、複数本の吸引部搬送用ロール２２Ａ、２２Ｂ、２２Ｃ、２２Ｄ、２２Ｅ、２２Ｆの周囲からは、図２及び図５（ｂ）に示すように、周囲の空気が吸引され、当該複数本の吸引部搬送用ロール２２Ａ、２２Ｂ、２２Ｃ、２２Ｄ、２２Ｅ、２２Ｆの上部を通過する記録用紙３は、これら複数本の吸引部搬送用ロール２２Ａ、２２Ｂ、２２Ｃ、２２Ｄ、２２Ｅ、２２Ｆ上に吸着される。そして、上記複数本の吸引部搬送用ロール２２Ａ、２２Ｂ、２２Ｃ、２２Ｄ、２２Ｅ、２２Ｆの回転に伴って、記録用紙３は、図５（ｃ）に示すように、当該複数本の吸引部搬送用ロール２２Ａ、２２Ｂ、２２Ｃ、２２Ｄ、２２Ｅ、２２Ｆ側に押し付けられた状態で搬送される。
【００４３】
このように、記録用紙３は、第一搬送ロール５と第二搬送ロール９によって搬送されると、同一の駆動部に連結されている複数本の吸引部搬送用ロール２２Ａ、２２Ｂ、２２Ｃ、２２Ｄ、２２Ｅ、２２Ｆも用紙を吸着した状態で回転し、記録用紙３の搬送を助けるようになっている。
。
【００４４】
ここで、この実４の形態に係る用紙搬送装置の吸引作用を、図５と図６に基づいて説明する。図５（ａ）は記録部４で印字した記録用紙３が浮いている状態を示している。この記録用紙３の幅方向に沿った浮き量を測定してグラフに表したものが図６（ａ）である。図６では環境を変えたときの状態をも示している。Ａの記号が高温高湿，Ｃの記号が低温低湿を示し、Ｌａｂは通常の実験室での状態を示すものである。
【００４５】
図５（ｂ）は（ａ）の状態から吸引しはじめた状態で、画像が記録された記録用紙３がプラテン部材８側に引き付けられている状態を示すものである。図５（ｃ）はさらに吸引されて記録用紙３がプラテン部材８に密着した状態を示す。このとき、記録用紙３は、吸引搬送ロール２２にも密着し矢印ｆの密着力が働く。そのため、この状態で吸引搬送ロール２２が回転すると、記録された用紙３が吸引時の抵抗に勝って吸引搬送ロール２２の搬送力によって搬送されるため、用紙３の搬送精度に悪影響を与えることがなく、高画質の印字が可能である。
【００４６】
このように、この実施の形態に係る用紙搬送装置２は、記録用紙３の吸引力を同時に吸引搬送ロール２２の搬送力に変えて記録用紙３を搬送するものであるため、記録用紙３の吸引力をある程度大きく設定して、記録用紙３をプラテン部材８上に平坦に保持した場合でも、記録用紙３の吸引力に比例して吸引搬送ロール２２による搬送力を高めることができるので、記録用紙３を常に高い精度で搬送することができ、記録用紙３が記録ヘッド１と接触したり、記録ヘッド１との距離が変動することによって濃淡等が現れることがなく、高画質の画像記録が可能となる。
【００４７】
しかも、この実施の形態では、記録用紙３が走行するプラテン部材８に開口された用紙吸引用の開口部１４と、前記用紙吸引用の開口部１４の内部に配設された用紙搬送用のロール２２とを備えるように構成したので、搬送用ロール自体に吸引用の孔を穿設するといった複雑な構成を採用する必要がなく、簡単な構成であって、低コストにて実現することができる。
【００４８】
なお、前記実施の形態では、図４で示すように、吸引搬送ロール２２を複数個に分割した場合について説明したが、図７に示すように、分割しない一本のロール２２でも良い。この場合でも、プラテン部材８の開口部縁１５は図３、図７の斜線部で示すように同一高さとし用紙の吸引性を良くしている。
【００４９】
なお、図８に示すように、吸引部搬送ロール２２の下流側に、補助の吸引部搬送ロール３０を設け、この補助吸引部ロール３０からもロール２２と同様に、吸引しつつ搬送するように構成しても良い。この場合には、記録部４の幅を更に広く設定した装置において効果的である。
【００５０】
また、用紙搬送装置の稼働中における騒音低減及び消費電力抑制を目的として、記録用紙３が記録開始位置に到達するまでは吸引用ファン２５をＯＮしないかまたは最大吸引に満たない弱い吸引力とし、記録開始直前に最大吸引となるように制御することも可能である。
【００５１】
【発明の効果】
以上述べたように、この発明によれば、用紙の搬送精度を高く維持することができ、記録画像の画質を劣化させることがなく、しかも簡単な構成であって低コスト化が可能な用紙搬送装置を提供することができる。
【図面の簡単な説明】
【図１】  図１はこの発明の実施の形態に係る用紙搬送装置を適応したインクジェット記録装置を示す一部破断の構成図である。
【図２】  図２はこの発明の実施の形態に係る用紙搬送装置を適応したインクジェット記録装置を示す要部拡大断面図である。
【図３】  図３はプラテン部材を示す平面図である。
【図４】  図４は用紙搬送装置を示す平面図である。
【図５】  図５（ａ）〜（ｃ）は用紙の吸引搬送状態をそれぞれ示す断面説明図である。
【図６】  図６（ａ）（ｃ）は用紙の吸引状態をそれぞれ示すグラフである。
【図７】  図７は用紙搬送装置の他の実施の形態に係るプラテン部材を示す平面図である。
【図８】  図８は用紙搬送装置の他の実施の形態を示す構成図である。
【図９】  図９は従来の用紙搬送装置を示す斜視図である。
【図１０】  図１０は従来の用紙搬送装置に使用される搬送ロールを示す斜視図である。
【図１１】  図１１は同搬送ロールの要部を示す構成図である。
【図１２】  図１２は従来の用紙搬送装置を示す側面図である。
【図１３】  図１３は従来の用紙搬送装置を示す斜視図である。
【符号説明】  ２：用紙搬送装置、３：記録用紙、５：第一搬送ロール、８：プラテン部材（用紙走行部）、９：第二搬送ロール、１４Ａ、１４Ｂ、１４Ｃ、１４Ｄ、１４Ｅ、１４Ｆ：用紙吸引用開口部、２２Ａ、２２Ｂ、２２Ｃ、２２Ｄ、２２Ｅ、２２Ｆ：吸引部搬送ロール、２５：吸引用ファン。
【図１】
0004001679.tif 000002
【図２】
0004001679.tif 000003
【図３】
0004001679.tif 000004
【図４】
0004001679.tif 000005
【図５】
0004001679.tif 000006
【図６】
0004001679.tif 000007
【図７】
0004001679.tif 000008
【図８】
0004001679.tif 000009
【図９】
0004001679.tif 000010
【図１０】
0004001679.tif 000011
【図１１】
0004001679.tif 000012
【図１２】
0004001679.tif 000013
【図１３】
0004001679.tif 000014